(57)【要約】    【課題】  画像保存サーバにてデジタルビデオカメラからの画像ファイルの保存を行う際に、ファイル名が重複することをなくす。    【解決手段】  画像保存サーバ２０３にデジタルビデオカメラ２０１を接続して、画像保存サーバ２０３が、デジタルビデオカメラ２０１で使用すべきファイル番号の設定を行う。これにより、画像保存サーバ２０３にてデジタルビデオカメラ２０１からの画像ファイルの保存を行う際に、ファイル名が重複することがなくなる。すなわち、ファイル転送時に同一ファイル名のために上書きによってファイルが消去されてしまうというようなことが、リネーム処理を行わないでも、回避できる。【選択図】      図２
2005117487.tif 000002
【特許請求の範囲】
【請求項１】
撮像装置と接続してデータ通信を行うための通信手段と、
前記通信手段を介して前記撮像装置内の記憶装置の空き容量を検知する検知手段と、
前記検知手段によって検知された空き容量に基づき、前記撮像装置において作成される画像ファイルに対して付与すべきファイル名を決定して前記撮像装置に前記通信手段を介して通知する通知手段と、
前記撮像装置において撮影が行われ、該撮影によって作成された画像ファイルに対して、前記通知手段によって通知されたファイル名に基づきファイル名の付与が行われた後に、前記通信手段を介して前記画像ファイルを受信し、自装置内の記憶装置に保存する保存手段と
を有することを特徴とする画像保存装置。
【請求項２】
前記通知手段は、前記検知手段によって検知された空き容量に基づき、連続する複数のファイル番号からなるファイル名を決定し、該決定された複数のファイル番号のうちの最小数のファイル番号を前記撮像装置に通知することを特徴とする請求項１記載の画像保存装置。
【請求項３】
前記複数のファイル番号の数量は、前記検知手段によって検知された空き容量及び前記撮像装置におけるデータ圧縮度合いに応じて決まることを特徴とする請求項２記載の画像保存装置。
【請求項４】
前記撮像装置内の記憶装置に画像ファイルが存在し、該画像ファイルのファイル名が前記画像保存装置の記憶装置に保存されるべき画像ファイルのファイル名と重複している場合に、前記画像保存装置の記憶装置に保存されるべき画像ファイルのファイル名と重複しないファイル名を決定し、前記通信手段を介して前記撮像装置に通知する決定通知手段と、
前記撮像装置が自装置内の記憶装置に存在する画像ファイルのファイル名を、前記決定通知手段によって通知されたファイル名に変更した上で前記通信手段を介して送信してきた画像ファイルを受信し、自装置内の記憶装置に保存する変更後保存手段とを更に有し、
前記変更後保存手段による画像ファイル保存の後に、前記検知手段と前記通知手段と前記保存手段とが動作することを特徴とする請求項１記載の画像保存装置。
【請求項５】
複数のフォルダを階層構造で保持し、画像ファイルを対応のフォルダに格納する構成となっている記憶装置を内蔵する撮像装置と接続可能な画像保存装置において、
前記撮像装置と接続してデータ通信を行うための通信手段と、
前記撮像装置の記憶装置に格納された画像データのファイル名および該ファイル名の属するフォルダ名を、前記通信手段を介して入手する入手手段と、
前記入手手段によって入手されたファイル名およびフォルダ名を用いて新たなファイル名を作成する作成手段と、
前記撮像装置の記憶装置に格納された画像データを、前記通信手段を介して受信し、該画像データに、前記作成手段によって作成された新たなファイル名のうち対応するファイル名を付与して、前記画像保存装置の記憶装置に保存する保存手段と
を有することを特徴とする画像保存装置。
【請求項６】
画像保存装置と接続してデータ通信を行うための通信手段と、
前記通信手段を介して前記画像保存装置に自装置内の記憶装置の空き容量を通知する通知手段と、
前記画像保存装置が前記通知手段によって通知された空き容量に基づき決定するとともに前記通信手段を介して送信したファイル名を受信する受信手段と、
撮影に伴って作成した画像ファイルに対して、前記受信手段によって受信したファイル名に基づきファイル名の付与を行うファイル名付与手段と、
前記ファイル名付与手段によってファイル名が付与された画像ファイルを、前記通信手段を介して前記画像保存装置に送信する送信手段と
を有することを特徴とする撮像装置。
【請求項７】
前記画像保存装置が決定する前記ファイル名は、連続する複数のファイル番号からなり、
前記受信手段は、前記複数のファイル番号のうちの最小数を受信し、
前記ファイル名付与手段は、撮影に伴って作成した複数の画像ファイルに対して、前記受信手段によって受信した最小数から昇り順にファイル番号を付与することを特徴とする請求項６記載の撮像装置。
【請求項８】
前記撮像装置内の記憶装置に画像ファイルが存在し、該画像ファイルのファイル名が前記画像保存装置の記憶装置に保存されるべき画像ファイルのファイル名と重複している場合に、前記画像保存装置が自装置内の記憶装置に保存されるべき画像ファイルのファイル名と重複しないファイル名を決定し、前記通信手段を介して前記撮像装置に通知したとき、前記撮像装置の記憶装置に存在する画像ファイルのファイル名を、前記通知されたファイル名に変更する変更手段と、
前記変更手段によってファイル名が変更された画像ファイルを、前記通信手段を介して前記画像保存装置に送信する変更後送信手段とを更に有し、
前記変更後送信手段による画像データ送信後に、前記通知手段と前記受信手段と前記ファイル名付与手段と前記送信手段とが動作することを特徴とする請求項６記載の撮像装置。
【請求項９】
複数のフォルダを階層構造で保持し、画像ファイルを対応のフォルダに格納する構成となっている記憶装置を内蔵し、画像保存装置と接続可能な撮像装置において、
前記画像保存装置と接続してデータ通信を行うための通信手段と、
前記撮像装置において作成された画像ファイルに対して、前記画像保存装置から前記通信手段を介して送信されたファイル名を付与して、前記撮像装置の記憶装置における第１のフォルダに格納する第１の格納手段と、
前記撮像装置において作成された画像ファイルに対して、前記画像保存装置から送信された全部のファイル名を付与しても、まだ付与されない画像ファイルが残っている場合、前記撮像装置の記憶装置における第２のフォルダに前記残っている画像ファイルを格納する第２の格納手段と
を有することを特徴とする撮像装置。
【請求項１０】
通信手段を介して接続可能な撮像装置と画像保存装置とから成る画像撮影保存システムにおいて、
前記撮像装置に設けられ、該撮像装置内の記憶装置の空き容量を、前記通信手段を介して前記画像保存装置に通知する第１の通知手段と、
前記画像保存装置に設けられ、前記第１の通知手段によって通知された空き容量に基づき、前記撮像装置において作成される画像ファイルに対して付与すべきファイル名を決定して前記撮像装置に前記通信手段を介して通知する第２の通知手段と、
前記撮像装置に設けられ、撮影に伴って作成した画像ファイルに対して、前記第２の通知手段によって通知されたファイル名に基づきファイル名の付与を行うファイル名付与手段と、
前記撮像装置に設けられ、前記ファイル名付与手段によってファイル名が付与された画像ファイルを、前記通信手段を介して前記画像保存装置に送信する送信手段と、
前記画像保存装置に設けられ、前記送信手段によって送信された画像ファイルを受信して、前記画像保存装置内の記憶装置に保存する保存手段と
を有することを特徴とする画像撮影保存システム。
【請求項１１】
通信手段を介して撮像装置と接続可能な画像保存装置に適用される画像保存方法において、
前記通信手段を介して前記撮像装置内の記憶装置の空き容量を検知する検知ステップと、
前記検知ステップによって検知された空き容量に基づき、前記撮像装置において作成される画像ファイルに対して付与すべきファイル名を決定して前記撮像装置に前記通信手段を介して通知する通知ステップと、
前記撮像装置において撮影が行われ、該撮影によって作成された画像ファイルに対して、前記通知ステップによって通知されたファイル名に基づきファイル名の付与が行われた後に、前記通信手段を介して前記画像ファイルを受信し、自装置内の記憶装置に保存する保存ステップと
を有することを特徴とする画像保存方法。
【請求項１２】
複数のフォルダを階層構造で保持し、画像ファイルを対応のフォルダに格納する構成となっている記憶装置を内蔵する撮像装置に、通信手段を介して接続可能な画像保存装置に適用される画像保存方法において、
前記撮像装置の記憶装置に格納された画像データのファイル名および該ファイル名の属するフォルダ名を、前記通信手段を介して入手する入手ステップと、
前記入手ステップによって入手されたファイル名およびフォルダ名を用いて新たなファイル名を作成する作成ステップと、
前記撮像装置の記憶装置に格納された画像データを、前記通信手段を介して受信し、該画像データに、前記作成ステップによって作成された新たなファイル名のうち対応するファイル名を付与して、前記画像保存装置の記憶装置に保存する保存ステップと
を有することを特徴とする画像保存方法。
【請求項１３】
通信手段を介して画像保存装置と接続可能な撮像装置に適用される撮影データ転送方法において、
前記通信手段を介して前記画像保存装置に自装置内の記憶装置の空き容量を通知する通知ステップと、
前記画像保存装置が前記通知ステップによって通知された空き容量に基づき決定するとともに前記通信手段を介して送信したファイル名を受信する受信ステップと、
撮影に伴って作成した画像ファイルに対して、前記受信ステップによって受信したファイル名に基づきファイル名の付与を行うファイル名付与ステップと、
前記ファイル名付与ステップによってファイル名が付与された画像ファイルを、前記通信手段を介して前記画像保存装置に送信する送信ステップと
を有することを特徴とする撮影データ転送方法。
【請求項１４】
複数のフォルダを階層構造で保持し、画像ファイルを対応のフォルダに格納する構成となっている記憶装置を内蔵し、通信手段を介して画像保存装置と接続可能な撮像装置に適用される撮影データ転送方法において、
前記撮像装置において作成された画像ファイルに対して、前記画像保存装置から前記通信手段を介して送信されたファイル名を付与して、前記撮像装置の記憶装置における第１のフォルダに格納する第１の格納ステップと、
前記撮像装置において作成された画像ファイルに対して、前記画像保存装置から送信された全部のファイル名を付与しても、まだ付与されない画像ファイルが残っている場合、前記撮像装置の記憶装置における第２のフォルダに前記残っている画像ファイルを格納する第２の格納ステップと
を有することを特徴とする撮像データ転送方法。
【請求項１５】
通信手段を介して接続可能な撮像装置と画像保存装置とから成る画像撮影保存システムに適用される画像撮影保存方法において、
前記撮像装置が、該撮像装置内の記憶装置の空き容量を、前記通信手段を介して前記画像保存装置に通知する第１の通知ステップと、
前記画像保存装置が、前記第１の通知ステップによって通知された空き容量に基づき、前記撮像装置において作成される画像ファイルに対して付与すべきファイル名を決定して前記撮像装置に前記通信手段を介して通知する第２の通知ステップと、
前記撮像装置が、撮影に伴って作成した画像ファイルに対して、前記第２の通知ステップによって通知されたファイル名に基づきファイル名の付与を行うファイル名付与ステップと、
前記撮像装置が、前記ファイル名付与ステップによってファイル名が付与された画像ファイルを、前記通信手段を介して前記画像保存装置に送信する送信ステップと、
前記画像保存装置が、前記送信ステップによって送信された画像ファイルを受信して、前記画像保存装置内の記憶装置に保存する保存ステップと
を有することを特徴とする画像撮影保存方法。
【請求項１６】
通信手段を介して撮像装置と接続可能な画像保存装置に適用される画像保存方法を、コンピュータに実行させるためのプログラムにおいて、
前記通信手段を介して前記撮像装置内の記憶装置の空き容量を検知する検知ステップと、
前記検知ステップによって検知された空き容量に基づき、前記撮像装置において作成される画像ファイルに対して付与すべきファイル名を決定して前記撮像装置に前記通信手段を介して通知する通知ステップと、
前記撮像装置において撮影が行われ、該撮影によって作成された画像ファイルに対して、前記通知ステップによって通知されたファイル名に基づきファイル名の付与が行われた後に、前記通信手段を介して前記画像ファイルを受信し、自装置内の記憶装置に保存する保存ステップと
を有することを特徴とするプログラム。
【請求項１７】
複数のフォルダを階層構造で保持し、画像ファイルを対応のフォルダに格納する構成となっている記憶装置を内蔵する撮像装置に、通信手段を介して接続可能な画像保存装置に適用される画像保存方法を、コンピュータに実行させるためのプログラムにおいて、
前記撮像装置の記憶装置に格納された画像データのファイル名および該ファイル名の属するフォルダ名を、前記通信手段を介して入手する入手ステップと、
前記入手ステップによって入手されたファイル名およびフォルダ名を用いて新たなファイル名を作成する作成ステップと、
前記撮像装置の記憶装置に格納された画像データを、前記通信手段を介して受信し、該画像データに、前記作成ステップによって作成された新たなファイル名のうち対応するファイル名を付与して、前記画像保存装置の記憶装置に保存する保存ステップと
を有することを特徴とするプログラム。
【請求項１８】
通信手段を介して画像保存装置と接続可能な撮像装置に適用される撮影データ転送方法を、コンピュータに実行させるためのプログラムにおいて、
前記通信手段を介して前記画像保存装置に自装置内の記憶装置の空き容量を通知する通知ステップと、
前記画像保存装置が前記通知ステップによって通知された空き容量に基づき決定するとともに前記通信手段を介して送信したファイル名を受信する受信ステップと、
撮影に伴って作成した画像ファイルに対して、前記受信ステップによって受信したファイル名に基づきファイル名の付与を行うファイル名付与ステップと、
前記ファイル名付与ステップによってファイル名が付与された画像ファイルを、前記通信手段を介して前記画像保存装置に送信する送信ステップと
を有することを特徴とするプログラム。
【請求項１９】
複数のフォルダを階層構造で保持し、画像ファイルを対応のフォルダに格納する構成となっている記憶装置を内蔵し、通信手段を介して画像保存装置と接続可能な撮像装置に適用される撮影データ転送方法を、コンピュータに実行させるためのプログラムにおいて、
前記撮像装置において作成された画像ファイルに対して、前記画像保存装置から前記通信手段を介して送信されたファイル名を付与して、前記撮像装置の記憶装置における第１のフォルダに格納する第１の格納ステップと、
前記撮像装置において作成された画像ファイルに対して、前記画像保存装置から送信された全部のファイル名を付与しても、まだ付与されない画像ファイルが残っている場合、前記撮像装置の記憶装置における第２のフォルダに前記残っている画像ファイルを格納する第２の格納ステップと
を有することを特徴とするプログラム。
【請求項２０】
通信手段を介して接続可能な撮像装置と画像保存装置とから成る画像撮影保存システムに適用される画像撮影保存方法を、コンピュータに実行させるためのプログラムにおいて、
前記撮像装置が、該撮像装置内の記憶装置の空き容量を、前記通信手段を介して前記画像保存装置に通知する第１の通知ステップと、
前記画像保存装置が、前記第１の通知ステップによって通知された空き容量に基づき、前記撮像装置において作成される画像ファイルに対して付与すべきファイル名を決定して前記撮像装置に前記通信手段を介して通知する第２の通知ステップと、
前記撮像装置が、撮影に伴って作成した画像ファイルに対して、前記第２の通知ステップによって通知されたファイル名に基づきファイル名の付与を行うファイル名付与ステップと、
前記撮像装置が、前記ファイル名付与ステップによってファイル名が付与された画像ファイルを、前記通信手段を介して前記画像保存装置に送信する送信ステップと、
前記画像保存装置が、前記送信ステップによって送信された画像ファイルを受信して、前記画像保存装置内の記憶装置に保存する保存ステップと
を有することを特徴とするプログラム。
【発明の詳細な説明】
【技術分野】
【０００１】
本発明は、画像保存装置、撮像装置、画像撮影保存システム、画像保存方法、撮影データ転送方法、画像撮影保存方法、及びプログラムに関し、特に、通信手段を介して互いに接続可能な画像保存装置および撮像装置、画像保存装置および撮像装置からなる画像撮影保存システム、これらの装置およびシステムにそれぞれ適用される画像保存方法、撮影データ転送方法、画像撮影保存方法、並びに、これらの方法をコンピュータに実行させるためのプログラムに関する。
【背景技術】
【０００２】
近年、デジタルビデオカメラは、テープ媒体に対して動画を記録し再生する機能の他に、フラッシュメモリカード記録媒体に対して静止画を記録し再生する機能を備えるものが存在する。
【０００３】
そのようなデジタルビデオカメラでは、フラッシュメモリカードに撮影データを入力するメモリカード撮影モードの動作時に、デジタルビデオカメラから取り込んだ静止画データに対してＪＰＥＧ等の圧縮方式によって画像データの圧縮を行い、フラッシュメモリカードに記録するほか、テープ媒体に記録されている動画データのうちから１フレーム分を静止画データとして取り出し、ＪＰＥＧ圧縮してフラッシュメモリカードに記録することができるようになっている場合が多い。さらに、ＩＥＥＥ１３９４（ｉ．ＬＩＮＫ）端子を備え、該端子に接続された外部のデジタルビデオカメラ等から静止画データを取込み、該静止画データをフラッシュメモリカードに記録できるものもある。
【０００４】
ところで、フラッシュメモリカードに記録される静止画データは、ＭＳ−ＤＯＳのＦＡＴ等のファイルシステムに適応するファイルとなっており、所定の文字列と通し番号との組み合わせからなるファイル名が付けられている。近年では、このファイル名のネーミングルールとして、ＤＣＦ（Design rule for Camera File system）に準拠し、デジタルビデオカメラ、デジタルカメラ、フラッシュメモリカードスロット内蔵プリンタ等の各機器間での互換性を考慮されたものが増えている。
【０００５】
一方、フラッシュメモリカードに記録された画像データは、パーソナルコンピュータ（以下「パソコン」という）などの大記憶容量を持つ機器にコピーされ、保存されることが一般的となっているが、デジタルビデオカメラからパソコンにファイル転送する際、同じファイル番号のファイルが既にパソコン側にあった場合、ファイル転送によって上書きされてしまう虞がある。これを防ぐために、従来、パソコン側で、ファイル名が重複しないように、転送されるファイルのファイル番号をリネーム（付け直し）してからコピーを行うようにしたシステムがあった（例えば特許文献１）。
【特許文献１】特開２００２−２０７６２１号公報
【発明の開示】
【発明が解決しようとする課題】
【０００６】
しかしながら、上記の従来システムでは、デジタルビデオカメラからパソコンにファイル転送をした後に、デジタルビデオカメラ側の転送済みのファイルを削除せずにおくと、再びファイル転送を行った場合に、同じ内容の画像が異なったファイル番号で再び保存されてしまい、パソコンのハードディスクの記憶スペースの無駄遣いとなってしまう虞があった。
【０００７】
また、上記の従来システムにおいて、パソコン側で、ファイル名が重複しないように、転送されるファイルのファイル番号をリネームしてからコピーを行う処理は煩わしいので、こうしたリネーム処理を行わないでも、ファイル転送に伴う上書きを回避したいという要求があった。
【０００８】
本発明はこのような問題点に鑑みてなされたものであって、同一内容のファイルを別のファイル名で複数保持することを解消した画像保存装置、撮像装置、画像撮影保存システム、画像保存方法、撮影データ転送方法、画像撮影保存方法、及びプログラムを提供することを目的とする。
【０００９】
また、本発明は、ファイル転送時に同一ファイル名のために上書きによってファイルを消去してしまうことを、リネーム処理を行わないでも可能にした画像保存装置、撮像装置、画像撮影保存システム、画像保存方法、撮影データ転送方法、画像撮影保存方法、及びプログラムを提供することを他の目的とする。
【課題を解決するための手段】
【００１０】
上記目的を達成するために、請求項１記載の発明によれば、撮像装置と接続してデータ通信を行うための通信手段と、前記通信手段を介して前記撮像装置内の記憶装置の空き容量を検知する検知手段と、前記検知手段によって検知された空き容量に基づき、前記撮像装置において作成される画像ファイルに対して付与すべきファイル名を決定して前記撮像装置に前記通信手段を介して通知する通知手段と、前記撮像装置において撮影が行われ、該撮影によって作成された画像ファイルに対して、前記通知手段によって通知されたファイル名に基づきファイル名の付与が行われた後に、前記通信手段を介して前記画像ファイルを受信し、自装置内の記憶装置に保存する保存手段とを有することを特徴とする画像保存装置が提供される。
【００１１】
また、請求項５記載の発明によれば、複数のフォルダを階層構造で保持し、画像ファイルを対応のフォルダに格納する構成となっている記憶装置を内蔵する撮像装置と接続可能な画像保存装置において、前記撮像装置と接続してデータ通信を行うための通信手段と、
前記撮像装置の記憶装置に格納された画像データのファイル名および該ファイル名の属するフォルダ名を、前記通信手段を介して入手する入手手段と、前記入手手段によって入手されたファイル名およびフォルダ名を用いて新たなファイル名を作成する作成手段と、前記撮像装置の記憶装置に格納された画像データを、前記通信手段を介して受信し、該画像データに、前記作成手段によって作成された新たなファイル名のうち対応するファイル名を付与して、前記画像保存装置の記憶装置に保存する保存手段とを有することを特徴とする画像保存装置が提供される。
【００１２】
また、請求項６記載の発明によれば、画像保存装置と接続してデータ通信を行うための通信手段と、前記通信手段を介して前記画像保存装置に自装置内の記憶装置の空き容量を通知する通知手段と、前記画像保存装置が前記通知手段によって通知された空き容量に基づき決定するとともに前記通信手段を介して送信したファイル名を受信する受信手段と、撮影に伴って作成した画像ファイルに対して、前記受信手段によって受信したファイル名に基づきファイル名の付与を行うファイル名付与手段と、前記ファイル名付与手段によってファイル名が付与された画像ファイルを、前記通信手段を介して前記画像保存装置に送信する送信手段とを有することを特徴とする撮像装置が提供される。
【００１３】
また、請求項９記載の発明によれば、複数のフォルダを階層構造で保持し、画像ファイルを対応のフォルダに格納する構成となっている記憶装置を内蔵し、画像保存装置と接続可能な撮像装置において、前記画像保存装置と接続してデータ通信を行うための通信手段と、前記撮像装置において作成された画像ファイルに対して、前記画像保存装置から前記通信手段を介して送信されたファイル名を付与して、前記撮像装置の記憶装置における第１のフォルダに格納する第１の格納手段と、前記撮像装置において作成された画像ファイルに対して、前記画像保存装置から送信された全部のファイル名を付与しても、まだ付与されない画像ファイルが残っている場合、前記撮像装置の記憶装置における第２のフォルダに前記残っている画像ファイルを格納する第２の格納手段とを有することを特徴とする撮像装置が提供される。
【００１４】
また、請求項１０記載の発明によれば、通信手段を介して接続可能な撮像装置と画像保存装置とから成る画像撮影保存システムにおいて、前記撮像装置に設けられ、該撮像装置内の記憶装置の空き容量を、前記通信手段を介して前記画像保存装置に通知する第１の通知手段と、前記画像保存装置に設けられ、前記第１の通知手段によって通知された空き容量に基づき、前記撮像装置において作成される画像ファイルに対して付与すべきファイル名を決定して前記撮像装置に前記通信手段を介して通知する第２の通知手段と、前記撮像装置に設けられ、撮影に伴って作成した画像ファイルに対して、前記第２の通知手段によって通知されたファイル名に基づきファイル名の付与を行うファイル名付与手段と、前記撮像装置に設けられ、前記ファイル名付与手段によってファイル名が付与された画像ファイルを、前記通信手段を介して前記画像保存装置に送信する送信手段と、前記画像保存装置に設けられ、前記送信手段によって送信された画像ファイルを受信して、前記画像保存装置内の記憶装置に保存する保存手段とを有することを特徴とする画像撮影保存システムが提供される。
【００１５】
また、請求項１１記載の発明によれば、通信手段を介して撮像装置と接続可能な画像保存装置に適用される画像保存方法において、前記通信手段を介して前記撮像装置内の記憶装置の空き容量を検知する検知ステップと、前記検知ステップによって検知された空き容量に基づき、前記撮像装置において作成される画像ファイルに対して付与すべきファイル名を決定して前記撮像装置に前記通信手段を介して通知する通知ステップと、前記撮像装置において撮影が行われ、該撮影によって作成された画像ファイルに対して、前記通知ステップによって通知されたファイル名に基づきファイル名の付与が行われた後に、前記通信手段を介して前記画像ファイルを受信し、自装置内の記憶装置に保存する保存ステップとを有することを特徴とする画像保存方法が提供される。
【００１６】
また、請求項１２記載の発明によれば、複数のフォルダを階層構造で保持し、画像ファイルを対応のフォルダに格納する構成となっている記憶装置を内蔵する撮像装置に、通信手段を介して接続可能な画像保存装置に適用される画像保存方法において、前記撮像装置の記憶装置に格納された画像データのファイル名および該ファイル名の属するフォルダ名を、前記通信手段を介して入手する入手ステップと、前記入手ステップによって入手されたファイル名およびフォルダ名を用いて新たなファイル名を作成する作成ステップと、前記撮像装置の記憶装置に格納された画像データを、前記通信手段を介して受信し、該画像データに、前記作成ステップによって作成された新たなファイル名のうち対応するファイル名を付与して、前記画像保存装置の記憶装置に保存する保存ステップとを有することを特徴とする画像保存方法が提供される。
【００１７】
また、請求項１３記載の発明によれば、通信手段を介して画像保存装置と接続可能な撮像装置に適用される撮影データ転送方法において、前記通信手段を介して前記画像保存装置に自装置内の記憶装置の空き容量を通知する通知ステップと、前記画像保存装置が前記通知ステップによって通知された空き容量に基づき決定するとともに前記通信手段を介して送信したファイル名を受信する受信ステップと、撮影に伴って作成した画像ファイルに対して、前記受信ステップによって受信したファイル名に基づきファイル名の付与を行うファイル名付与ステップと、前記ファイル名付与ステップによってファイル名が付与された画像ファイルを、前記通信手段を介して前記画像保存装置に送信する送信ステップとを有することを特徴とする撮影データ転送方法が提供される。
【００１８】
また、請求項１４記載の発明によれば、複数のフォルダを階層構造で保持し、画像ファイルを対応のフォルダに格納する構成となっている記憶装置を内蔵し、通信手段を介して画像保存装置と接続可能な撮像装置に適用される撮影データ転送方法において、前記撮像装置において作成された画像ファイルに対して、前記画像保存装置から前記通信手段を介して送信されたファイル名を付与して、前記撮像装置の記憶装置における第１のフォルダに格納する第１の格納ステップと、前記撮像装置において作成された画像ファイルに対して、前記画像保存装置から送信された全部のファイル名を付与しても、まだ付与されない画像ファイルが残っている場合、前記撮像装置の記憶装置における第２のフォルダに前記残っている画像ファイルを格納する第２の格納ステップとを有することを特徴とする撮像データ転送方法が提供される。
【００１９】
また、請求項１５記載の発明によれば、通信手段を介して接続可能な撮像装置と画像保存装置とから成る画像撮影保存システムに適用される画像撮影保存方法において、前記撮像装置が、該撮像装置内の記憶装置の空き容量を、前記通信手段を介して前記画像保存装置に通知する第１の通知ステップと、前記画像保存装置が、前記第１の通知ステップによって通知された空き容量に基づき、前記撮像装置において作成される画像ファイルに対して付与すべきファイル名を決定して前記撮像装置に前記通信手段を介して通知する第２の通知ステップと、前記撮像装置が、撮影に伴って作成した画像ファイルに対して、前記第２の通知ステップによって通知されたファイル名に基づきファイル名の付与を行うファイル名付与ステップと、前記撮像装置が、前記ファイル名付与ステップによってファイル名が付与された画像ファイルを、前記通信手段を介して前記画像保存装置に送信する送信ステップと、前記画像保存装置が、前記送信ステップによって送信された画像ファイルを受信して、前記画像保存装置内の記憶装置に保存する保存ステップとを有することを特徴とする画像撮影保存方法が提供される。
【００２０】
さらに、上記画像保存方法、撮影データ転送方法、画像撮影保存方法をコンピュータに実行させるためのプログラムが提供される。
【発明の効果】
【００２１】
本発明によれば、画像保存サーバにデジタルビデオカメラを接続して、画像保存サーバが、デジタルビデオカメラで使用すべきファイル番号の設定を行うため、画像保存サーバにてデジタルビデオカメラからの画像ファイルの保存を行う際に、ファイル名が重複することがなくなる。すなわち、ファイル転送時に同一ファイル名のために上書きによってファイルが消去されてしまうというようなことが、リネーム処理を行わないでも、回避できる。
【００２２】
また、画像保存サーバによるファイル番号の設定の前にデジタルビデオカメラで撮影された画像のファイルを画像保存サーバに保存しようとした場合には、デジタルビデオカメラで撮影された画像のファイル名が、画像保存サーバに既に保存されているファイルのファイル名と重複することがあり得るが、こうした場合、画像保存サーバがデジタルビデオカメラに、重複のないファイル名へのリネームを行わせて、その後に、デジタルビデオカメラで撮影された画像の画像保存サーバへの保存が行われるため、ファイル名の重複に伴う画像データの上書きを防止することができる。またこの場合でも、以後のデジタルビデオカメラによる撮影においては、画像保存サーバによって設定されたファイル番号を用いてファイル名を付与するため、画像保存サーバにてデジタルビデオカメラからの画像ファイルの保存を行う際に、ファイル名が重複することがなくなる。
【００２３】
また、画像保存サーバは、デジタルビデオカメラに保存されているファイルのファイル番号と画像保存サーバに保存されているファイルのファイル番号とが同一であるときに、デジタルビデオカメラに保存されているファイルの内容と画像保存サーバに保存されている同一ファイル番号のファイルの内容とを比較して、両者が同一のファイルであるか否かを判別する。その結果、同一のファイルである場合には、画像保存サーバはデジタルビデオカメラにリネームを行わせず、当該ファイルのデジタルビデオカメラから画像保存サーバへのファイル転送を禁止する。これによって、画像保存サーバにおいて、同一内容のファイルを別のファイル名で複数保持することを解消できる。
【００２４】
さらに、画像保存サーバからデジタルビデオカメラに対して設定されたファイル番号を使い切り、さらに撮影を行った場合でも、デジタルビデオカメラでフォルダ別にファイルを保存し、かつ、画像保存サーバが、フォルダ番号とファイル番号とならなるファイル名でファイルを保管するので、複数のデジタルビデオカメラからファイル転送されたファイルを画像保存サーバで保管しても、ファイル番号が重複して上書きしてしまうことが回避できる。
【発明を実施するための最良の形態】
【００２５】
以下、本発明を実施するための最良の形態について、図面を参照して説明する。
【実施例１】
【００２６】
図１は、本発明に係る実施例１のデジタルビデオカメラの構成を示すブロック図である。
【００２７】
同図において１０１は、被写体像を後述の撮像素子１０３上に結像するための撮影レンズ、１０２は、撮像素子１０３へ入射される光量を調節するための絞り、１０３は、被写体像を画像信号に変換する撮像素子である。１０４はＣＤＳ／ＡＧＣ回路であり、撮像素子１０３から出力された画像信号をサンプルホールドし、信号レベルを調節する。１０５はデジタル信号処理回路であり、ＣＤＳ／ＡＧＣ回路１０４から出力されたアナログ画像信号をＡ／Ｄ変換し、デジタル信号処理を行う。１０６はフレームメモリであり、デジタル信号処理回路１０５から出力された画像データを１フレーム分ずつ蓄積する。１０７は画素数調整回路であり、後述の画像コーデック１０９においてＪＰＥＧまたはＭＰＥＧの圧縮方式による記録ができるように、フレームメモリ１０６から読み出した画像データの画素数を調整する。画素数調整回路１０７は画像バス１０８に接続される。画像バス１０８には、画素数調整回路１０７のほか、後述の液晶ドライバ１１２、画像コーデック１０９、ＮＴＳＣエンコーダ１１３、ＵＳＢインターフェース１１５、メインマイクロコンピュータ（以下「マイコン」という）１１７が接続され、画像バス１０８を介して各接続装置間で画像データの送受信が行われる。
【００２８】
１０９は画像データを圧縮／伸長する画像コーデックであり、ＪＰＥＧコーデック１０９ａとＭＰＥＧコーデック１０９ｂとから成る。ＪＰＥＧコーデック１０９ａは、画素数調整回路１０７から送られた静止画データをＪＰＥＧ圧縮して後述のフラッシュメモリ１１０に記録し、またフラッシュメモリ１１０に記録されたＪＰＥＧ圧縮データを読み出して伸張し、画像バス１０８に出力する。ＭＰＥＧコーデック１０９ｂは、画素数調整回路１０７から送られた動画データをＭＰＥＧ圧縮してフラッシュメモリ１１０に記録し、またフラッシュメモリ１１０に記録されたＭＰＥＧ圧縮データを読み出して伸張し、画像バス１０８に出力する。１１０は、圧縮された圧縮画像データを記録するフラッシュメモリである。フラッシュメモリ１１０は、デジタルビデオカメラ本体に対して着脱可能な構成となっている。
【００２９】
１１１は液晶ディスプレイであり、再生モード時に画像コーデック１０９から画像バス１０８を介して送られた再生画像データに基づいて画像表示を行い、また撮影時には撮像素子１０３からのスルー画を表示する。１１２は液晶ディスプレイ１１１を駆動するための液晶ドライバである。
【００３０】
１１３はＮＴＳＣエンコーダであり、液晶ディスプレイ１１１に表示される画像と同一の画像のデータをアナログ化し、ビデオ出力端子１１４に出力する。１１５はＵＳＢインターフェースであり、図２を参照して後述する画像保存サーバに対してＵＳＢ端子１１６を介してデジタル画像データを送信するためのインターフェースである。１１９はデジタルビデオカメラの動作モードを指定操作するためのモードダイヤルである。１１７はメインマイコン（マイクロコンピュータ）であり、モードダイヤル１１９の操作位置に応じたモードによってデジタルビデオカメラを動作制御したり、操作キー１１８の操作に応じてデジタルビデオカメラの各種機能の実行を制御する。
【００３１】
図２は、図１に示したデジタルビデオカメラと該デジタルビデオカメラに接続される画像保存サーバとを示す図である。
【００３２】
同図において２０１は、図１に示す構成を持つデジタルビデオカメラ、２０３は、ＵＳＢ端子１１６を介してデジタルビデオカメラ２０１に接続される画像保存サーバである。画像保存サーバ２０３は、大記憶容量ディスクを内蔵し、デジタルビデオカメラ２０１で撮影・記録されたデジタル画像データをＵＳＢインターフェース１１５を介して受け取り蓄積する。
【００３３】
図３は、デジタルビデオカメラ２０１のメインマイコン１１７において、撮影モード時に行われる撮影画像データのファイル作成および画像保存サーバ２０３へのファイル転送に関する処理の手順を示すフローチャートである。以下、このフローチャートのステップに沿って説明する。
【００３４】
図３に示す処理は、デジタルビデオカメラ２０１の電源がオンとなり、かつモードダイヤル１１９が撮影モードに指定されているときに、実行開始される。
【００３５】
ステップＳ３０１にて、デジタルビデオカメラ２０１に画像保存サーバ２０３が接続されているか否かを判別する。この判別は、デジタルビデオカメラ２０１から画像保存サーバ２０３に接続確認信号を送り、それに対して応答があるか否かによって行う。画像保存サーバ２０３が接続されていればステップＳ３０６に進んで、デジタルビデオカメラ２０１から画像保存サーバ２０３へファイル転送を行い、一方、接続されていなければステップＳ３０２に進んで、デジタルビデオカメラ２０１による撮影を行う。
【００３６】
ステップＳ３０２では、デジタルビデオカメラ２０１のメインマイコン１１７内に設けられたファイル番号レジスタに最小ファイル番号が書き込まれているか否かを判別する。この最小ファイル番号の書き込みについては、ステップＳ３０８および図４を参照して後述する。最小ファイル番号が書き込まれていればステップＳ３０４に、書き込まれていなければステップＳ３０３に進む。
【００３７】
ステップＳ３０３では、ファイル番号レジスタに０をセットするか、または既存のファイル番号に１を加えた値をセットし、ステップＳ３０４へ進む。
【００３８】
ステップＳ３０４では、デジタルビデオカメラ２０１による静止画撮影を行い、静止画データからなるファイルを作成し、該ファイルに、ファイル番号レジスタにセットされている番号をファイル番号として付与する。そして、ファイル番号レジスタにセットされている番号に１を加えてセットし、ステップＳ３０６へ進む。
【００３９】
ステップＳ３０６では、モードダイヤル１１９が撮影モードの位置にあるか否かを判別し、撮影モードの位置にあればステップＳ３０４へ戻り、モードダイヤル１１９が撮影モードから他の位置（電源切、再生モード）に操作されていれば、本処理を終了する。
【００４０】
ステップＳ３０７では、フラッシュメモリ１１０に画像データが記録されているか否かを判別する。画像データが記録されている場合はステップＳ３０９に進み、一方、画像データが記録されていない場合はステップＳ３０８に進み、画像保存サーバ登録モードに移行する。この画像保存サーバ登録モードについて、図４を参照して説明する。
【００４１】
図４は、図３のステップＳ３０８で実行される画像保存サーバ登録モードの動作を示すシーケンスチャートである。
【００４２】
同図におけるステップＳ４００で、デジタルビデオカメラ２０１が、画像保存サーバ２０３に対して接続確認信号を送信する。この接続確認信号を画像保存サーバ２０３が受信できた場合（デジタルビデオカメラ２０１のＵＳＢ端子１１６に画像保存サーバ２０３が接続されていることを示す）、画像保存サーバ２０３はデジタルビデオカメラ２０１に対して、ステップＳ４０１にて応答信号を返信する。
【００４３】
応答信号を受信したデジタルビデオカメラ２０１はサーバ接続モードで起動し、起動が完了すると、ステップＳ４０２にて、画像保存サーバ２０３に起動完了通知を送信する。
【００４４】
起動完了通知を受信した画像保存サーバ２０３は、デジタルビデオカメラ２０１に装着されているフラッシュメモリ１１０の空き容量を検出して空き容量情報を返信することを求める検出要求をデジタルビデオカメラ２０１に送信する（ステップＳ４０３）。この検出要求を受信したデジタルビデオカメラ２０１は、フラッシュメモリ１１０の空き容量を検出し、ステップＳ４０４にて、空き容量情報を画像保存サーバ２０３に返信する。
【００４５】
空き容量情報を受信した画像保存サーバ２０３は、その空き容量情報に基づき、デジタルビデオカメラ２０１において撮影可能枚数を算出し、デジタルビデオカメラ２０１での今後の静止画撮影に伴って作成され、かつ画像保存サーバ２０３に転送されるファイルに付与されるべきファイル番号の割り当てを決定する。ステップＳ４０５では、その割り当てられたファイル番号のうちの最小番号をデジタルビデオカメラ２０１に送信する。
【００４６】
図３に戻って、ステップＳ３１３にて、デジタルビデオカメラ２０１は、メインマイコン１１７内に有するファイル番号レジスタに、受信した最小番号を書き込み、本処理を終了する。
【００４７】
ステップＳ３０９では、デジタルビデオカメラ２０１のフラッシュメモリ１１０に記録されている画像ファイルのファイル番号（ファイル名）と、画像保存サーバ２０３内に保存されている画像ファイルのファイル番号（ファイル名）とに重複があるか否かを判別する。重複がないならばステップＳ３１１へ進み、重複があるならばステップＳ３１０へ進んで、カメラリネームモードへ移行する。このカメラリネームモードについて、図５を参照して説明する。
【００４８】
図５は、図３のステップＳ３１０で実行されるカメラリネームモードの動作を示すシーケンスチャートである。
【００４９】
同図におけるステップＳ５００で、デジタルビデオカメラ２０１が、画像保存サーバ２０３に対して接続確認信号を送信する。この接続確認信号を受信した画像保存サーバ２０３はデジタルビデオカメラ２０１に対して、ステップＳ５０１にて応答信号を返信する。
【００５０】
応答信号を受信したデジタルビデオカメラ２０１はサーバ接続モードで起動し、起動が完了すると、ステップＳ５０２にて、画像保存サーバ２０３に起動完了通知を送信する。
【００５１】
起動完了通知を受信した画像保存サーバ２０３は、デジタルビデオカメラ２０１のフラッシュメモリ１１０に記録され、図３のステップＳ３０９でファイル番号（ファイル名）が重複していると判別されたファイルの内容を返信することを求める検出要求を、ステップＳ５０３にてデジタルビデオカメラ２０１へ送信する。これを受信したデジタルビデオカメラ２０１は、ファイル番号（ファイル名）が重複していると判別されたファイルの内容をフラッシュメモリ１１０から読み出して、ステップＳ５０４にて画像保存サーバ２０３へ送信する。
【００５２】
このファイルの内容を受信した画像保存サーバ２０３は、その受信したファイルの内容と画像保存サーバ２０３に保存されている同一ファイル番号（ファイル名）のファイルの内容とを比較して、両者が同一のファイルであるか否かを判別する。同一のファイルである場合には、リネームを行わず、当該ファイルのデジタルビデオカメラ２０１から画像保存サーバ２０３へのファイル転送を禁止する。一方、ファイル番号（ファイル名）が同一であっても、ファイル内容が異なっている場合は、デジタルビデオカメラ２０１にリネームを行わせるために、画像保存サーバ２０３内に既に存在ファイル番号と重複しないファイル番号を決定する。そして、画像保存サーバ２０３は、ステップＳ５０５で、この決定されたファイル番号をデジタルビデオカメラ２０１に送信する。これを受信したデジタルビデオカメラ２０１は、図３のステップＳ３０９でファイル番号（ファイル名）が重複していると判別されたファイルのファイル番号を、受信したファイル番号に入れ替える。
【００５３】
図３に戻って、ステップＳ３１１にて、ファイル転送モードに移行する。このファイル転送モードについて、図６を参照して説明する。
【００５４】
図６は、図３のステップＳ３１１で実行されるファイル転送モードの動作を示すシーケンスチャートである。
【００５５】
同図におけるステップＳ６００で、デジタルビデオカメラ２０１が、画像保存サーバ２０３に対して接続確認信号を送信する。この接続確認信号を受信した画像保存サーバ２０３はデジタルビデオカメラ２０１に対して、ステップＳ６０１にて応答信号を返信する。
【００５６】
応答信号を受信したデジタルビデオカメラ２０１はサーバ接続モードで起動し、起動が完了すると、ステップＳ６０２にて、画像保存サーバ２０３に起動完了通知を送信する。
【００５７】
起動完了通知を受信した画像保存サーバ２０３は、デジタルビデオカメラ２０１に装着されているフラッシュメモリ１１０に記録されているファイルの容量を検出してファイル容量情報を返信することを求める検出要求をデジタルビデオカメラ２０１に送信する（ステップＳ６０３）。この検出要求を受信したデジタルビデオカメラ２０１は、フラッシュメモリ１１０に記録されているファイルの容量を検出し、ステップＳ６０４にて、ファイル容量情報を画像保存サーバ２０３に返信する。
【００５８】
画像保存サーバ２０３は、返信されたファイル容量情報を基に、デジタルビデオカメラ２０１のフラッシュメモリ１１０に記録されているファイルが画像保存サーバ２０３に転送された場合に、画像保存サーバ２０３側の記録媒体の空きスペースに収まるか否かを判別し、収まるならばステップＳ６０５にて、デジタルビデオカメラ２０１にファイル転送要求を送信する。なお、収まらないならば、その旨をデジタルビデオカメラ２０１に通知する。
【００５９】
ファイル転送要求を受信したデジタルビデオカメラ２０１は、フラッシュメモリ１１０に記録されているファイルを読み出して、ステップＳ６０６にて、このファイルを画像保存サーバ２０３に転送する。ファイルを画像保存サーバ２０３は、転送されたファイルを画像保存サーバ２０３の記録媒体の空きスペースに格納する。
【００６０】
図３に戻って、ファイル転送を完了したデジタルビデオカメラ２０１では、転送済みのファイルがフラッシュメモリ１１０から消去されるので、ステップＳ３０７でＮＯと判別された場合と同じ状態になる。そのため、ステップＳ３１２に進んで、画像保存サーバ登録モード（ステップＳ３０８の画像保存サーバ登録モードと同一処理）に移行し、その後ステップＳ３１３に進む。
【００６１】
以上のように図３〜図６を参照して説明した撮影画像データのファイル作成および画像保存サーバ２０３へのファイル転送を、具体的な例を挙げて以下に説明する。
【００６２】
図７は、デジタルビデオカメラ２０１に相当するカメラＡに画像保存サーバ２０３が接続されている状態を示す図である。カメラＡには、６４Ｍバイトの記憶容量を持つフラッシュメモリが搭載され、該フラッシュメモリには画像データが全く記録されていないものとする。
【００６３】
こうしたカメラＡでは、図３のステップＳ３０２にてＹＥＳとなり、ステップＳ３０７にてＮＯとなる。そこでステップＳ３０８で画像保存サーバ登録モードへ移行し、図４のステップＳ４０４にて、空き容量が６４Ｍバイトであるという空き容量情報がカメラＡから画像保存サーバ２０３へ送信される。
【００６４】
ここで、画像１枚当たりのデータ量を６４０Ｋバイトと仮定すると、空き容量情報を受信した画像保存サーバ２０３は、カメラＡが１００枚（＝６４Ｍバイト／６４０Ｋバイト）の撮影を行えると判定して、IMG_0001.JPGからIMG_0100.JPGまでのファイル番号を決定する。そこで、画像保存サーバ２０３は、これらのファイル番号のうちの最小値であるIMG_0001.JPGをカメラＡに送信する（図４のステップＳ４０５）。
【００６５】
カメラＡでは、図３のステップＳ３０４での最初の撮影の際に、画像ファイルに付与するファイル名としてIMG_0001.JPGを用い、その後は撮影ごとにIMG_0002.JPG、IMG_0003.JPGというように、番号が１ずつ増加したファイル名を付与するようにする。
【００６６】
図８は、カメラＡの画像保存サーバ２０３への接続の後、デジタルビデオカメラ２０１に相当するとともにカメラＡとは別のカメラＢが、画像保存サーバ２０３に接続された状態を示す図である。カメラＢには、１２８Ｍバイトの記憶容量を持つフラッシュメモリが搭載され、該フラッシュメモリには画像データが全く記録されていないものとする。
【００６７】
こうしたカメラＢでも、図３のステップＳ３０２にてＹＥＳとなり、ステップＳ３０７にてＮＯとなる。そこでステップＳ３０８で画像保存サーバ登録モードへ移行し、図４のステップＳ４０４にて、空き容量が１２８Ｍバイトであるという空き容量情報がカメラＢから画像保存サーバ２０３へ送信される。
【００６８】
ここでも、画像１枚当たりのデータ量を６４０Ｋバイトと仮定すると、空き容量情報を受信した画像保存サーバ２０３は、カメラＡが２００枚（＝１２８Ｍバイト／６４０Ｋバイト）の撮影を行えると判定して、既に使用が決定されているファイル番号IMG_0001.JPG〜IMG_0100.JPGの続きであるIMG_0101.JPGからIMG_0300.JPGまでのファイル番号を決定する。そこで、画像保存サーバ２０３は、これらのファイル番号のうちの最小値であるIMG_0101.JPGをカメラＢに送信する（図４のステップＳ４０５）。
【００６９】
カメラＢでは、図３のステップＳ３０４での最初の撮影の際に、画像ファイルに付与するファイル名としてIMG_0101.JPGを用い、その後は撮影ごとにIMG_0102.JPG、IMG_0103.JPGというように、番号が１ずつ増加したファイル名を付与するようにする。
【００７０】
図９は、カメラＡ，Ｂの画像保存サーバ２０３への接続の後、デジタルビデオカメラ２０１に相当するとともにカメラＡ，Ｂとは別のカメラＣが、画像保存サーバ２０３に接続された状態を示す図である。カメラＣには、２５６Ｍバイトの記憶容量を持つフラッシュメモリが搭載され、該フラッシュメモリには、ファイル番号IMG_0001.JPG〜IMG_0100.JPGが付与された画像データが記録されているものとする。
【００７１】
こうしたカメラＣでは、図３のステップＳ３０２およびステップＳ３０７にてＹＥＳとなり、ステップＳ３０９では、ファイル番号IMG_0001.JPG〜IMG_0100.JPGが重複するためにＹＥＳとなる。そこでステップＳ３１０へ進んでカメラリネームモードを実行する。その結果、カメラＣにおけるIMG_0001.JPG〜IMG_0100.JPGのファイル番号は、カメラＢ用に使用を決定されたIMG_0101.JPG〜IMG_0300.JPGの続き番号であるIMG_0301.JPG〜IMG_0400.JPGにリネームされる。
【００７２】
その後、図３のステップＳ３１１のファイル転送モードにて、リネームされたファイル番号IMG_0301.JPG〜IMG_0400.JPGのファイルがカメラＣから画像保存サーバ２０３に転送され、保存される。
【００７３】
次に図３のステップＳ３１２にて画像保存サーバ登録モードが実行され、図４のステップＳ４０４で、カメラＣから画像保存サーバ２０３に、空き容量が１９２Ｍバイト（＝２５６−６４）である旨の情報が送信される。画像保存サーバ２０３は、カメラＣで３００枚の撮影が可能であると判定して、リネームおよび転送されたファイル番号IMG_0301.JPG〜IMG_0400.JPGの続きであるIMG_0401.JPGからIMG_0700.JPGまでのファイル番号を決定する。そして画像保存サーバ２０３は、ステップＳ４０５にて、その決定されたファイル番号のうちの最小値であるIMG_0401.JPGをカメラＣに送信する。
【００７４】
その後、カメラＣでは、図３のステップＳ３０４での最初の撮影の際に、画像ファイルに付与するファイル名としてIMG_0401.JPGを用い、その後は撮影ごとにIMG_0402.JPG、IMG_0403.JPGというように、番号が１ずつ増加したファイル名を付与するようにする。
【００７５】
その後、各カメラを画像保存サーバ２０３に接続すると、図３のステップＳ３１１でファイル転送モードが実行されて、撮影されて得られた画像ファイルが画像保存サーバ２０３に転送され、保存が行われる。この場合、カメラ側では既に画像保存サーバ２０３から設定されたファイル番号があり、このファイル番号が画像ファイルに付与されるため、リネームが行われることはない。
【００７６】
本実施例では、画像保存サーバ２０３にデジタルビデオカメラ２０１を接続して、画像保存サーバ２０３が、デジタルビデオカメラ２０１で使用すべきファイル番号の設定を行うため、画像保存サーバ２０３にてデジタルビデオカメラ２０１からの画像ファイルの保存を行う際に、ファイル名が重複することがなくなる。すなわち、ファイル転送時に同一ファイル名のために上書きによってファイルが消去されてしまうというようなことが、リネーム処理を行わないでも、回避できる。
【００７７】
また、画像保存サーバ２０３によるファイル番号の設定の前にデジタルビデオカメラ２０１で撮影された画像のファイルを画像保存サーバ２０３に保存しようとした場合には、デジタルビデオカメラ２０１で撮影された画像のファイル名が、画像保存サーバ２０３に既に保存されているファイルのファイル名と重複することがあり得るが、こうした場合、画像保存サーバ２０３がデジタルビデオカメラ２０１に、重複のないファイル名へのリネームを行わせて、その後に、デジタルビデオカメラ２０１で撮影された画像の画像保存サーバ２０３への保存が行われるため、ファイル名の重複に伴う画像データの上書きを防止することができる。
【００７８】
なお、本実施例においては、デジタルビデオカメラ２０１のフラッシュメモリ１１０に画像データを記録する構成となっているが、フラッシュメモリ１１０に代わって、ディスクメディアなどの他の記録媒体を、画像データの記録用に用いる構成としてもよい。
【００７９】
また、本実施例では、画像保存サーバ２０３に対して静止画像のＪＰＧファイルを記録する構成となっているが、これに代わって、動画像のＡＶＩ、ＭＰＧなどのファイルを画像保存サーバ２０３に対して記録する場合においても、同様のファイル名の設定管理が可能である。
【００８０】
また、本実施例においては、画像ファイルの容量（画像１枚あたりのデータ量）を６４０Ｍバイトとしたが、これに代わって、画像保存サーバ２０３が、デジタルビデオカメラ２０１に設定されている画質設定情報を得て、画質設定値に応じたファイル容量を決定し、これを用いて撮影可能枚数を決定するようにしてもよい。
【実施例２】
【００８１】
次に本発明に係る実施例２を説明する。
【００８２】
実施例２の構成は、基本的に実施例１の構成と同じであるので、実施例２の説明においては、実施例１の構成を流用する。
【００８３】
実施例２では、デジタルビデオカメラ２０１のフラッシュメモリ１１０において、画像ファイルが、階層構造になった複数のフォルダに格納されるようになっている。
【００８４】
図１０は、デジタルビデオカメラ２０１に相当するカメラＤに画像保存サーバ２０３が接続されている状態を示す図である。カメラＤには、１２８Ｍバイトの記憶容量を持つフラッシュメモリが搭載され、該フラッシュメモリには、少なくとも３階層になった３つのフォルダが設けられ、フォルダ名１００のフォルダに、ファイル番号IMG_0101.JPG〜IMG_0300.JPGの２００ファイルから成る画像データが記録されているものとする。
【００８５】
こうしたカメラＤでは、図３のステップＳ３０２およびステップＳ３０７にてＹＥＳとなり、ステップＳ３０９ではＮＯとなって、ステップＳ３１１でファイル転送モードが実行される。カメラＤから画像保存サーバ２０３にファイル転送する際、実施例２における画像保存サーバ２０３は、カメラＤにおけるフォルダ名１００とファイル番号IMG_0101.JPG〜IMG_0300.JPGとを用いて、画像保存サーバ２０３におけるファイル名100_0101.JPG〜100_0300.JPGを生成し、カメラＤから転送されたファイルに対して、これらの生成されたファイル名を付与する。
【００８６】
図１１は、カメラＤの画像保存サーバ２０３への接続の後、デジタルビデオカメラ２０１に相当するとともにカメラＤとは別のカメラＥが、画像保存サーバ２０３に接続された状態を示す図である。
【００８７】
カメラＥには、６４Ｍバイトの記憶容量を持つフラッシュメモリが搭載され、該フラッシュメモリには、少なくとも３階層になった４つのフォルダが設けられ、フォルダ名１００のフォルダに、ファイル番号IMG_0001.JPG〜IMG_0100.JPGの１００ファイルから成る画像データが記録され、さらにフォルダ名１０１のフォルダに、ファイル番号IMG_0101.JPG〜IMG_0102.JPGの２ファイルから成る画像データが記録されているものとする。すなわち、カメラＥは、１枚あたり６４０Ｋバイトのデータ量の撮影を１００枚分行うことが可能であったが、一般に画像内容によってＪＰＥＧ圧縮の度合いが異なるため、６４Ｍバイトの記憶容量のフラッシュメモリに例えば１０２枚分の画像データを収容することができたとする。その場合、１００枚を超えた分は、新たに作られたフォルダ名１０１のフォルダに記録される。
【００８８】
こうしたカメラＥでも、図３のステップＳ３０２およびステップＳ３０７にてＹＥＳとなり、ステップＳ３０９ではＮＯとなって、ステップＳ３１１でファイル転送モードが実行される。カメラＥから画像保存サーバ２０３にファイル転送する際、実施例２における画像保存サーバ２０３は、カメラＥにおけるフォルダ名１００とファイル番号IMG_0001.JPG〜IMG_0100.JPGとを用いて、画像保存サーバ２０３におけるファイル名100_0001.JPG〜100_0100.JPGを生成し、さらに、フォルダ名１０１とファイル番号IMG_0101.JPG〜IMG_0102.JPGとを用いて、画像保存サーバ２０３におけるファイル名101_0101.JPG〜101_0102.JPGを生成し、カメラＥから転送されたファイルに対して、これらの生成されたファイル名を付与する。
【００８９】
したがって、本実施例２においては、IMG_0101.JPG〜IMG_0102.JPGという同一のファイル番号を持ち、内容は異なるファイルが、カメラＤとカメラＥとに存在しているが、これらが画像保存サーバ２０３に転送されると、画像保存サーバ２０３ではファイル名が別のものとなり重複することがなくなる。
【００９０】
なお、実施例２においても、デジタルビデオカメラ２０１のフラッシュメモリ１１０に代わって、ディスクメディアなどの他の記録媒体を、画像データの記録用に用いる構成としてもよい。また、画像保存サーバ２０３に対して動画像のＡＶＩ、ＭＰＧなどのファイルを記録して、同様のファイル名の設定管理を行ってもよい。また、画像保存サーバ２０３が、デジタルビデオカメラ２０１に設定されている画質設定情報を得て、画質設定値に応じたファイル容量を決定し、これを用いて撮影可能枚数を決定するようにしてもよい。
［他の実施例］
【００９１】
なお、本発明の目的は、前述した各実施例の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００９２】
この場合、記憶媒体から読み出されたプログラムコード自体が本発明の新規な機能を実現することになり、そのプログラムコードを記憶した記憶媒体およびプログラムは本発明を構成することになる。
【００９３】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００９４】
また、コンピュータが読み出したプログラムコードを実行することにより、前述した各実施例の機能が実現されるだけでなく、そのプログラムコードの指示に基づき、コンピュータ上で稼動しているＯＳ（オペレーティングシステム）等が実際の処理の一部または全部を行い、その処理によって前述した各実施例の機能が実現される場合も含まれる。
【００９５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施例の機能が実現される場合も含まれる。
【図面の簡単な説明】
【００９６】
【図１】本発明に係る実施例１のデジタルビデオカメラの構成を示すブロック図である。
【図２】図１に示したデジタルビデオカメラと該デジタルビデオカメラに接続される画像保存サーバとを示す図である。
【図３】デジタルビデオカメラのメインマイコンにおいて、撮影モード時に行われる撮影画像データのファイル作成および画像保存サーバへのファイル転送に関する処理の手順を示すフローチャートである。
【図４】図３のステップＳ３０８で実行される画像保存サーバ登録モードの動作を示すシーケンスチャートである。
【図５】図３のステップＳ３１０で実行されるカメラリネームモードの動作を示すシーケンスチャートである。
【図６】図３のステップＳ３１１で実行されるファイル転送モードの動作を示すシーケンスチャートである。
【図７】デジタルビデオカメラに相当するカメラＡに画像保存サーバが接続されている状態を示す図である。
【図８】カメラＡの画像保存サーバへの接続の後、デジタルビデオカメラに相当するとともにカメラＡとは別のカメラＢが、画像保存サーバに接続された状態を示す図である。
【図９】カメラＡ，Ｂの画像保存サーバへの接続の後、デジタルビデオカメラに相当するとともにカメラＡ，Ｂとは別のカメラＣが、画像保存サーバに接続された状態を示す図である。
【図１０】実施例２においてデジタルビデオカメラに相当するカメラＤに画像保存サーバが接続されている状態を示す図である。
【図１１】実施例２においてカメラＤの画像保存サーバへの接続の後、デジタルビデオカメラに相当するとともにカメラＤとは別のカメラＥが、画像保存サーバに接続された状態を示す図である。
【符号の説明】
【００９７】
１０１  撮影レンズ
１０２  絞り
１０３  撮像素子
１０４  ＣＤＳ／ＡＧＣ回路
１０５  デジタル信号処理回路
１０６  フレームメモリ
１０７  画素数調整回路
１０８  画像バス
１０９  画像コーデック
１０９ａ  ＪＰＥＧコーデック
１０９ｂ  ＭＰＥＧコーデック
１１０  フラッシュメモリ（撮像装置内の記憶装置）
１１１  液晶ディスプレイ
１１２  液晶ドライバ
１１３  ＮＴＳＣエンコーダ
１１４  ビデオ出力端子
１１５  ＵＳＢインターフェース（通信手段）
１１６  ＵＳＢ端子（通信手段）
１１７  メインマイコン
１１８  操作キー
１１９  モードダイヤル
２０１  デジタルビデオカメラ（撮像装置）
２０３  画像保存サーバ（画像保存装置）
【図１】
2005117487.tif 000003
【図２】
2005117487.tif 000004
【図３】
2005117487.tif 000005
【図４】
2005117487.tif 000006
【図５】
2005117487.tif 000007
【図６】
2005117487.tif 000008
【図７】
2005117487.tif 000009
【図８】
2005117487.tif 000010
【図９】
2005117487.tif 000011
【図１０】
2005117487.tif 000012
【図１１】
2005117487.tif 000013